(57)【要約】【課題】  本発明は制振装置の組み立て作業性及び設置作業を容易に行えることを課題とする。【解決手段】  制振装置１０は、壁面空間１９内に、上部伝達部材２０と、下部伝達部材２２を設け、上部伝達部材２０と下部伝達部材２２との間に緩衝器２４が設けられている。上部伝達部材２０は、上枠１２に対して壁面空間１９の面方向（Ｙ方向）にオフセットした位置に取り付けられる。上部伝達部材２０及び下部伝達部材２２は、上枠１２及び下枠１４の面方向の中心よりも前面側または後面側に所定寸法ずらしてあり、ずらした側が狭い空間となり、逆側が広い区間となる。上部伝達部材２０及び下部伝達部材２２の広い区間側には、４本の振れ止め２６ａ〜２６ｄと、止め金具３６及び３８が設けられている。止め金具３６及び３８は、上部伝達部材２０及び下部伝達部材２２の広い区間側に取り付けられるので、太くて長いラグスクリュウボルト４６で固定することが可能になる。【選択図】  図１
2005083129.tif 000002
【特許請求の範囲】
【請求項１】
構造物の上梁に固定される上枠と、
構造物の下梁に固定される下枠と、
前記上枠及び前記下枠により形成された壁面空間と、
該壁面空間の上部に設けられる上部伝達部材と、
前記壁面空間の下部に設けられる下部伝達部材と、
前記上部伝達部材と前記下部伝達部材との間に設けられる減衰装置と、
を有する制振装置において、
前記上部伝達部材及び前記下部伝達部材を前記上枠及び前記下枠に対して前記壁面空間の面方向にオフセットして設け、
オフセットによって生じた空間のうち面方向に広い空間を形成する前記上枠及び下枠に止め金具を固定して、当該止め金具に上部伝達部材及び下部伝達部材を固定したことを特徴とする制振装置。
【請求項２】
前記オフセットによって生じた空間のうち面方向に広い空間に前記上部伝達部材及び前記下部伝達部材の一方側に沿って面方向の振れを制限する振れ止め部材を設け、
前記上部伝達部材及び前記下部伝達部材の他方側の振れを前記減衰装置で制限することを特徴とする請求項１記載の制振装置。
【請求項３】
前記上部伝達部材及び前記下部伝達部材に対して前記減衰装置を構成する緩衝器を、前記壁面空間の面方向にオフセットしたことを特徴とする請求項１または２記載の制振装置。
【請求項４】
前記止め金具に複数の貫通孔を設け、
前記貫通孔の一部に短い締結部材を挿通させて前記止め金具を前記上部伝達部材及び前記下部伝達部材を支持する前記上枠及び下枠に固定し、
前記貫通孔の他部に長い締結部材を挿通させて前記上枠及び下枠を貫通させて前記上梁及び下梁に固定することを特徴とする請求項１記載の制振装置。
【発明の詳細な説明】
【技術分野】
【０００１】
本発明は制振装置に係り、特に上部梁と下部梁と柱により形成される空間を有する構造物の傾動を抑制するよう構成された制振装置に関する。
【背景技術】
【０００２】
一般木造住宅などの構造物に取り付けられる制振装置としては、構造物の壁面に油圧ダンパからなる減衰装置を取り付けて揺れを減衰する構成のものがある。この種の制振装置では、構造物の壁面に取り付け作業が容易に行えるようにするため、長方形状の枠内に上部伝達部材と下部伝達部材とを設け、上部伝達部材と下部伝達部材との間に減衰装置を設けるように構成されている（例えば、特許文献１参照）。
【０００３】
また、この制振装置では、上部伝達部材及び下部伝達部材の前後面にＬ字状の止め金具を釘または木ネジ等の締結部材を介して固定し、さらにこの止め金具を枠に固定することにより上部伝達部材及び下部伝達部材を枠に固定している。
【特許文献１】特開２００２−３５７０１５号公報
【発明の開示】
【発明が解決しようとする課題】
【０００４】
上記従来の制振装置では、上部伝達部材及び下部伝達部材の前後面に一対の止め金具を固定する構成であるので、止め金具を固定するための締結部材の数が多くなり、作業工数が増大して生産性を高めることが難しい。
【０００５】
さらに、一般木造住宅の場合、壁面の厚さがおよそ１０ｃｍ程度であるので、止め金具の奥行き寸法が小さくなってしまい、その分、締結部材を挿通するための孔径も小さくなって、細い釘や木ネジを使用することになる。そのため、この締結部材による強度が十分に得られないおそれがある。
【０００６】
そこで、本発明は上記課題を解決した制振装置を提供することを目的とする。
【課題を解決するための手段】
【０００７】
請求項１記載の発明は、構造物の上梁に固定される上枠と、構造物の下梁に固定される下枠と、前記上枠及び前記下枠により形成された壁面空間と、該壁面空間の上部に設けられる上部伝達部材と、前記壁面空間の下部に設けられる下部伝達部材と、前記上部伝達部材と前記下部伝達部材との間に設けられる減衰装置と、を有する制振装置において、前記上部伝達部材及び前記下部伝達部材を前記上枠及び下枠に対して前記壁面空間の面方向にオフセットして設け、オフセットによって生じた空間のうち面方向に広い空間を形成する前記上枠及び下枠に止め金具を固定して、当該止め金具に上部伝達部材及び下部伝達部材を固定したことを特徴とする。
【０００８】
請求項２記載の発明は、前記オフセットによって生じた空間のうち面方向に広い空間に前記上部伝達部材及び前記下部伝達部材の一方側に沿って面方向の振れを制限する振れ止め部材を設け、前記上部伝達部材及び前記下部伝達部材の他方側の振れを前記減衰装置で制限することを特徴とする。
【０００９】
請求項３記載の発明は、前記上部伝達部材及び前記下部伝達部材に対して前記減衰装置を構成する緩衝器を、前記壁面空間の面方向にオフセットしたことを特徴とする。
【００１０】
請求項４記載の発明は、止め金具に複数の貫通孔を設け、前記貫通孔の一部に短い締結部材を挿通させて前記止め金具を前記上部伝達部材及び前記下部伝達部材を支持する前記上枠及び下枠に固定し、前記貫通孔の他部に長い締結部材を挿通させて前記上枠及び下枠を貫通させて前記上梁及び下梁に固定することを特徴とする。
【発明の効果】
【００１１】
請求項１記載の発明によれば、上部伝達部材及び下部伝達部材を上枠及び下枠に対して壁面空間の面方向にオフセットすることにより、上部伝達部材及び下部伝達部材の一側に広い空間を形成でき、この空間に比較的大きい止め金具を取り付けることが可能になるので、太い締結部材を用いて強固に固定することが可能になる。
【００１２】
請求項２記載の発明によれば、オフセットによって生じた空間のうち面方向に広い空間に上部伝達部材及び下部伝達部材の面方向の振れを制限する振れ止め部材を設けるだけなので、上部伝達部材及び下部伝達部材の両面に振れ止め部材を設ける場合よりも振れ止め部材の設置数が半分で済み、組み立て作業工程での工数が減って生産性を高めることができる。
【００１３】
請求項３記載の発明によれば、上部伝達部材及び下部伝達部材に対して緩衝器を壁面空間の面方向にオフセットすることにより、緩衝器を面方向の他側の振れ止めとして用いることが可能になり、その分、振れ止め部材の設置数を削減して生産性を高めることができる。
【００１４】
請求項４記載の発明によれば、止め金具に複数の貫通孔を設け、貫通孔の一部に長い締結部材を挿通させて上枠及び下枠を貫通させて上梁及び下梁に固定することにより、制振装置を上梁及び下梁に強固に固定することができる。
【発明を実施するための最良の形態】
【００１５】
以下、図面と共に本発明の各実施例について説明する。
【実施例１】
【００１６】
図１は本発明になる制振装置の一実施例を示す正面図である。図２は制振装置の側面縦断面図である。
図１及び図２に示されるように、制振装置１０は、水平方向に横架された上枠１２、下枠１４と、上枠１２と下枠１４との間に起立する縦枠１６、１８とにより形成された壁面空間１９内に、上部伝達部材２０と、下部伝達部材２２を設け、上部伝達部材２０と下部伝達部材２２との間に油圧ダンパからなる緩衝器（減衰装置）２４が設けられている。また、縦枠１６と１８との間には、面方向（Ｙ方向）への振れを防止する棒材からなる振れ止め２６ａ〜２６ｄが横架されている。尚、制振装置１０は、工場において組み立てられ、ユニットとして現場に搬送される。
【００１７】
緩衝器２４は、シリンダ２４ａの内部に粘性を有する作動油が充填されており、ピストンロッド２４ｂの端部に設けられたピストン（図示せず）がシリンダ２４ａの内部を摺動することにより作動油の粘性抵抗による減衰力（抵抗力）を発生するように構成されている。また、シリンダ２４ａの端部は、支持部材２８を介して下部ブラケット３０に連結されており、ピストンロッド２４ｂの他端は、支持部材３２を介して上部ブラケット３４に連結されている。
【００１８】
そして、下部ブラケット３０は、下部伝達部材２２の上部に固定され、上部ブラケット３４は、上部伝達部材２０の下部に固定される。そのため、上部伝達部材２０と下部伝達部材２２との間でＸ方向の相対変位が生じると、緩衝器２４のシリンダ２４ａ内をピストンが摺動して粘性抵抗を減衰力として発生し、上部伝達部材２０と下部伝達部材２２との間の相対変位を減衰させる。
【００１９】
上部伝達部材２０は、上枠１２に対して壁面空間１９の面方向（Ｙ方向）にオフセットした位置に取り付けられる。従って、上部伝達部材２０は、上枠１２の面方向の中心よりも前面側または後面側に所定寸法ずらしてあり、ずらした側が狭い空間となり、逆側が広い区間となる。
【００２０】
下部伝達部材２２も上記上部伝達部材２０と同様に、下枠１４に対して壁面空間１９の面方向（Ｙ方向）にオフセットした位置に取り付けられる。従って、下部伝達部材２２は、下枠１４の面方向の中心よりも前面側または後面側に所定寸法ずらしてあり、ずらした側が狭い空間となり、逆側が広い区間となる。尚、本実施例では、上部伝達部材２０、下部伝達部材２２の前面側（Ｙａ方向）が広くなるように、上部伝達部材２０、下部伝達部材２２を上枠１２、下枠１４のＹ方向中心よりも後面側（Ｙｂ方向）にずらしてある。
【００２１】
そして、上部伝達部材２０及び下部伝達部材２２の広い区間が形成された前面側（Ｙａ方向）には、４本の振れ止め２６ａ〜２６ｄが所定間隔で横架されており、上部伝達部材２０及び下部伝達部材２２が前面側（Ｙａ方向）に振れないように規制している。尚、上部伝達部材２０及び下部伝達部材２２は、振れ止め２６ａ〜２６ｄに当接しているだけであるので、Ｘ方向の揺れが入力された場合には、振れ止め２６ａ〜２６ｄの延在方向に摺動して制振動作する。また、振れ止め２６ａ〜２６ｄは、室内の化粧パネル（図示せず）を取り付ける際に釘等の締結部材が打ち込まれる支持部材としても機能する。
【００２２】
また、上部伝達部材２０及び下部伝達部材２２の狭い区間が形成された後面側（Ｙｂ方向）には、振れ止めが無く、代わりに緩衝器２４が壁面空間１９の面方向（Ｙ方向）にオフセットしているので、緩衝器２４のシリンダ２４ａが裏側の壁パネル（図示せず）に当接して後面側（Ｙｂ方向）の振れを規制する。
【００２３】
このように、制振装置１０では、片側に振れ止め２６ａ〜２６ｄを設ける構成とすることができるので、両面に振れ止めを設ける構成のものよりも振れ止めの設置数を半分に減らすことができ、その分、組み立て工程での工数が減少して生産性を高められる。
【００２４】
また、上部伝達部材２０、下部伝達部材２２は、Ｌ字状に形成された止め金具３６，３８により上枠１２、下枠１４に固定される。この止め金具３６及び３８は、上部伝達部材２０及び下部伝達部材２２の広い区間が形成された前面側（Ｙａ方向）に取り付けられるので、奥行き寸法の大きい金具を使用することが可能になる。
【００２５】
ここで、止め金具３６，３８の構成について図３を参照して説明する。
図３は止め金具３６，３８を示す図であり、（Ａ）は平面図、（Ｂ）は正面図、（Ｃ）は側面図である。
【００２６】
図３（Ａ）〜（Ｃ）に示されるように、止め金具３６，３８は、上枠１２、下枠１４に固定される水平部４０と、上部伝達部材２０、下部伝達部材２２に固定される垂直部４２とを有するＬ字状金具である。水平部４０には、比較的短い釘または木ネジからなる小締結部材４４が挿通される複数の小径孔４０ａと、比較的太くて長いラグスクリュウボルト４６が挿通される孔径の大きい複数の大径孔４０ｂとが設けられている。
【００２７】
また、垂直部４２には、比較的短い釘または木ネジからなる小締結部材４８が挿通される小径孔４２ａが多数設けられている。小締結部材４４，４８は、止め金具３６，３８を固定するための締結手段であり、工場において、小径孔４０ａ，４２ａに挿通されて上枠１２、下枠１４及び上部伝達部材２０、下部伝達部材２２を固定する。
【００２８】
尚、上枠１２、下枠１４の大径孔４０ｂに対向する位置には、ラグスクリュウボルト４６が通し易いように下孔がドリル加工されている。また、ラグスクリュウボルト４６は、設置現場で上枠１２、下枠１４を構造物の上梁、下梁に固定する際に止め金具３６，３８の大径孔４０ｂに挿通される。
【００２９】
図４は制振装置１０の取付状態を示す正面図である。図５は制振装置１０の取付状態を示す側面縦断面図である。
図４及び図５に示されるように、制振装置１０を一般住宅などの構造物に設置する際は、下枠１４を下梁５０に載置し、且つ上枠１２を上梁５２に当接させる。尚、制振装置１０の高さ寸法及び幅寸法は、予め設置箇所の壁部の大きさに合わせて工場で調整されている。
【００３０】
さらに、縦方向に延在する支柱５４，５６を制振装置１０の両側に当接させた状態で固定する。これにより、制振装置１０の縦枠１６、１８は、下梁５０と上梁５２との間に起立された支柱５４，５６によりＸ方向から挟持される。
【００３１】
先ず、壁面空間１９の前面側から下枠１４に固定された止め金具３８の大径孔４０ｂにラグスクリュウボルト４６を挿入して工具により回転させながらねじ込む。ラグスクリュウボルト４６は、通常の木ねじよりも太く、全長も長いので、先端部分が下枠１４を貫通して下梁５０までねじ込まれる。本実施例では、４本のラグスクリュウボルト４６が、止め金具３８、下枠１４を貫通して下梁５０に螺入されるため、下枠１４及び止め金具３８を強固に固定することが可能になる。
【００３２】
次に、上枠１２に固定された止め金具３６の大径孔４０ｂにラグスクリュウボルト４６を挿入して工具により回転させながらねじ込む。ラグスクリュウボルト４６は、通常の木ねじよりも太く、全長も長いので、先端部分が上枠１２を貫通して上梁５２までねじ込まれる。本実施例では、４本のラグスクリュウボルト４６が、止め金具３６、上枠１２を貫通して上梁５２に螺入されるため、上枠１２及び止め金具３８を強固に固定することが可能になる。
【００３３】
従って、壁面空間１９の前面側から上下８本のラグスクリュウボルト４６をねじ込むだけで、簡単に制振装置１０を任意の場所に設置することができ、設置作業に要する作業時間が短縮され、少ない人数でも効率良く設置することが可能になる。
【実施例２】
【００３４】
図６は実施例２の構成を示す側面縦断面図である。
図６に示されるように、制振装置６０は、上枠１２の下面及び下枠１４の上面に面方向（Ｙ方向）にオフセットされた溝６２，６４が設けられている。この溝６２，６４には、上部伝達部材２０の上端及び下部伝達部材２２の下端が嵌合される。
【００３５】
そのため、上部伝達部材２０及び下部伝達部材２２を上枠１２、下枠１４に取り付ける際は、上部伝達部材２０及び下部伝達部材２２を溝６２，６４に嵌合させるだけで、容易に位置合わせすることができ、オフセット量も一定値に保つことが可能になる。
【００３６】
さらに、上部伝達部材２０及び下部伝達部材２２を溝６２，６４に嵌合させることにより、面方向（Ｙ方向）の取付強度が向上し、止め金具３６，３８を片側にのみ設ける構成でも十分な強度を確保することが可能になる。
【実施例３】
【００３７】
図７は止め金具の変形例を示す図であり、（Ａ）は平面図、（Ｂ）は正面図、（Ｃ）は側面図である。
図７（Ａ）〜（Ｃ）に示されるように、変形例の止め金具７２は、クランク形状に形成されており、上部伝達部材２０及び下部伝達部材２２を上枠１２、下枠１４に固定されている。この止め金具７２は、上枠１２、下枠１４に固定される水平部７４と、水平部７４の一端（前面側）より上方に延在して上部伝達部材２０、下部伝達部材２２に固定される垂直部７６と、水平部７４の他端（後面側）より下方に延在して上枠１２、下枠１４の後面及び上梁５２、下梁５０の後面に固定される垂下部７８とを有する。
【００３８】
水平部７４には、比較的短い釘または木ネジからなる小締結部材４４が挿通される複数の小径孔７４ａと、比較的太くて長いラグスクリュウボルト４６が挿通される孔径の大きい複数の大径孔７４ｂとが設けられている。
【００３９】
また、垂直部７６及び垂下部７８には、比較的短い釘または木ネジからなる小締結部材４８，８０が挿通される小径孔７６ａ，７８ａが多数設けられている。
【００４０】
止め金具７２は、工場において、水平部７４が小締結部材４４により上枠１２、下枠１４に固定され、垂直部７６が小締結部材４８，８０により上部伝達部材２０、下部伝達部材２２に固定される。
【００４１】
そして、制振装置１０を設置するために、下枠１４を下梁５０に載置し、且つ上枠１２を上梁５２に当接させる際、止め金具７２の垂下部７８を上梁５２、下梁５０の後面に当接させることで容易に取付位置を正確に位置合わせすることが可能になる。
【００４２】
また、垂下部７８を小締結部材８０により上枠１２、下枠１４の後面及び上梁５２、下梁５０の後面に固定することで、より強固に固定することが可能になる。
【００４３】
さらに、本実施例３に上記実施例２を組み合わせた構成とすることで、より一層取付強度を高めることが可能なる。
【産業上の利用可能性】
【００４４】
上記実施の形態では、構造物として木造住宅に制振装置を取り付ける場合を一例として挙げたが、これに限らず、木造以外の住宅、例えば、軽量鉄骨を用いた構造物にも適用しても構わない。
【００４５】
また、上記実施の形態では、緩衝器として油圧ダンパを用いたものを示したが、これに限らず、例えば、ゴム等の弾性部材や摺動抵抗により摩擦力を発生する摩擦ダンパ等を適用することもできる。
【図面の簡単な説明】
【００４６】
【図１】本発明になる制振装置の一実施例を示す正面図である。
【図２】制振装置の側面縦断面図である。
【図３】止め金具３６，３８を示す図であり、（Ａ）は平面図、（Ｂ）は正面図、（Ｃ）は側面図である。
【図４】制振装置１０の取付状態を示す正面図である。
【図５】制振装置１０の取付状態を示す側面縦断面図である。
【図６】実施例２の構成を示す側面縦断面図である。
【図７】止め金具の変形例を示す図であり、（Ａ）は平面図、（Ｂ）は正面図、（Ｃ）は側面図である。
【符号の説明】
【００４７】
１０，６０  制振装置
１２  上枠
１４  下枠
１９  壁面空間
２０  上部伝達部材
２２  下部伝達部材
２４  緩衝器
２６ａ〜２６ｄ  振れ止め
３６，３８，７２  止め金具
４０，７４  水平部
４２，７６  垂直部
４４，８０  小締結部材
４６  ラグスクリュウボルト
５０  下梁
５２  上梁
６２，６４  溝
７８  垂下部
【図１】
2005083129.tif 000003
【図２】
2005083129.tif 000004
【図３】
2005083129.tif 000005
【図４】
2005083129.tif 000006
【図５】
2005083129.tif 000007
【図６】
2005083129.tif 000008
【図７】
2005083129.tif 000009